(57)【要約】【課題】内輪もしくは外輪を抜いたときに、ポケット孔から円筒ころが落下しないころ軸受用保持器を提供する。【解決手段】環状をなし円周方向にころ収納用のポケット孔１２を複数形成した帯状鋼板１１からなり、この帯状鋼板１１は、ポケット孔１２の円周方向両側に設けられた柱部２０、２１と、ポケット孔１２の軸方向両側に設けられた第１環状部３０および第２環状部３５と、柱部２０、２１からポケット孔１２へ向かって突出し、ころの抜けを防止する爪部４０、４１、４５、４６とからなるころ軸受用保持器であって、帯状鋼板１１はこれの両端間に切断された切断部１３、１４、１５を有し、この切断された切断部１３、１４、１５を、一つの柱部２１の軸方向の途中に設け、さらにこの柱部２１の両側の一方のポケット孔１２を形成する第１環状部３０に設け、またさらにこの柱部２１の両側の他方のポケット孔１２を形成する第２環状部３５に設けたものである。【選択図】図１
2013104486.tif 000002
【特許請求の範囲】
【請求項１】
環状をなし円周方向にころ収納用のポケット孔を複数形成した帯状鋼板からなり、この帯状鋼板は、前記ポケット孔の円周方向両側に設けられた柱部と、前記ポケット孔の軸方向両側に設けられた第１環状部および第２環状部と、前記柱部から前記ポケット孔へ向かって突出し、ころの抜けを防止する爪部とからなるころ軸受用保持器であって、前記帯状鋼板はこれの両端間に切断された切断部を有し、この切断された切断部を、一つの柱部の軸方向の途中に設け、さらにこの柱部の両側の一方のポケット孔を形成する第１環状部に設け、またさらにこの柱部の両側の他方のポケット孔を形成する第２環状部に設けたことを特徴とするころ軸受用保持器。
【発明の詳細な説明】
【技術分野】
【０００１】
本発明は、例えば円筒ころを回転可能に保持するころ軸受用保持器に関する。
【背景技術】
【０００２】
従来のころ軸受用溶接保持器は、例えば図３に示すものがある（特許文献１）。１００は帯状鋼板、１０１はポケット孔、１０２はポケット孔１０１の円周方向両側の柱部、１０６、１０７はポケット孔１０１の軸方向両側の第１環状部および第２環状部、１０８、１０９は溶接部、１１０、１１１は溶接ビードである。
【０００３】
このころ軸受用溶接保持器は、幅が一定で所定の長さに切断した帯状鋼板１００を環状に丸めて作られる。ころ軸受用溶接保持器は、周方向に複数の転動体収納用のポケット孔１０１を有し、複数のポケット孔１０１のうち、一つのポケット孔１０１を構成する第１環状部１０６および第２環状部１０７の両端部を突合せ溶接し、両端部間に溶接部１０８、１０９が形成されている。
【先行技術文献】
【特許文献】
【０００４】
【特許文献１】特許第４５２５２４７号
【発明の概要】
【発明が解決しようとする課題】
【０００５】
ころ軸受用溶接保持器および円筒ころを内輪および外輪間に挿入し、外輪に対し内輪を回転させると、円周方向に分断させようとする力が、ころ軸受用溶接保持器に作用する。第1環状部１０６および第２環状部１０７に比べて溶接部１０８、１０９の方が強度的に弱いので、溶接部１０８、１０９が分断しやすい。溶接部１０８、１０９で分断した状態で、内輪を抜くと、ポケット孔から円筒ころが落下する問題があった。本発明は、上述した問題点を解決するためになされたもので、その目的とするところは、内輪もしくは外輪を抜いたときに、ポケット孔から円筒ころが落下しないころ軸受用保持器を提供する。
【課題を解決するための手段】
【０００６】
請求項１に記載の発明は、環状をなし円周方向にころ収納用のポケット孔を複数形成した帯状鋼板からなり、この帯状鋼板は、前記ポケット孔の円周方向両側に設けられた柱部と、前記ポケット孔の軸方向両側に設けられた第１環状部および第２環状部と、前記柱部から前記ポケット孔へ向かって突出し、ころの抜けを防止する爪部とからなるころ軸受用保持器であって、前記帯状鋼板はこれの両端間に切断された切断部を有し、この切断された切断部を、一つの柱部の軸方向の途中に設け、さらにこの柱部の両側の一方のポケット孔を形成する第１環状部に設け、またさらにこの柱部の両側の他方のポケット孔を形成する第２環状部に設けたものである。
【発明の効果】
【０００７】
本発明によれば、内輪もしくは外輪を抜いたとき、切断部を有する柱部の一方と、この一方の対向する位置に設けられた柱部とにある爪部によって、ころの抜けを防止できる。
【図面の簡単な説明】
【０００８】
【図１】本発明の実施形態におけるころ軸受用保持器の斜視図である。
【図２】本発明の実施形態におけるころ軸受用保持器の展開平面図である。
【図３】従来のころ軸受用溶接保持器の展開平面図である。
【発明を実施するための形態】
【０００９】
本発明の実施形態について、図１および図２を参酌しつつ説明する。図１はころ軸受用保持器の斜視図であり、図２はころ軸受用保持器の展開平面図である。
【００１０】
図１および図２において、１０はころ軸受用保持器全体を示す。１１は帯状鋼板、１２はポケット孔、２０、２１はポケット孔１２の円周方向両側の柱部、３０、３５はポケット孔１２の軸方向両側の第１環状部および第２環状部、４０、４１、４５、４６は爪部、１３、１４、１５は帯状鋼板１１の切断された切断部である。
【００１１】
ころ軸受用保持器１０は、円周方向に複数のポケット孔１２を有する一枚の帯状鋼板１１を環状に丸めたものである。帯状鋼板１１は、ポケット孔１２の円周方向両側に設けられた柱部２０、２１と、ポケット孔１２の軸方向両側に設けられた第１環状部３０および第２環状部３５とからなっている。
【００１２】
円周方向に複数ある柱部２０、２１のうち、一つの柱部２１に切断部１４を有する。この柱部２１は、切断部１４によって、一方の柱片２２と、他方の柱片２５とに分けられる。切断部１４を挟んで柱片２２および柱片２５に帯状鋼板１１の両端部が設けられている。切断部１４は、柱部２１の軸方向中間に設けられている。
【００１３】
一つの柱部２１を挟んで円周方向両側にポケット孔１２に有し、一方のポケット孔１２を構成する第１環状部３０に切断部１３が設けられ、他方のポケット孔１２を構成する第２環状部３５に切断部１５が設けられている。切断部１３を挟んで両側に第１環状部３０の両端部が設けられ、切断部１５を挟んで両側に第２環状部３５の両端部が設けられている。切断部１４は斜め方向に切断されたもので、切断部１４の延長線上に切断部１３および切断部１５が設けられている。前記両端部は、帯状鋼板１１の両端部でもある。
【００１４】
ポケット孔１２は、円周方向両側の柱部２０、２１と、軸方向両側の第１環状部３０および第２環状部３５とで囲まれた平面視矩形形状（図２）をなしている。柱部２０、２１は円周方向に一定幅で軸方向に延びる部分であり、第１環状部３０、３５は軸方向に一定幅で円周方向に延びる部分である。
【００１５】
爪部４０、４１、４５、４６は、柱部２０、２１からポケット孔１２側へ突出するような形で設けられたものである。柱部２０、２１の内周面には、爪部４０、４１、４５、４６に対応する位置に凹み２０ａが形成されている。図略の金型を使用して、凹み２０ａを形成すると同時に、凹み２０ａにあった材料を使って爪部４０、４１、４５、４６を塑性加工により形成している。第１環状部３０側の柱部２０に爪部４０が形成され、第２環状部３５側の柱部２０に爪部４５が形成されている。第１環状部３０側の柱片２２に爪部４１が形成され、第２環状部３５側の柱片２５に爪部４５が形成されている。爪部４０、４１、４５、４６は、図略の円筒ころがころ軸受用保持器１１の内径側へ抜けるのを防止するもので、柱部２０、２１の内径側に設けられている。柱部２０の計４個の爪部４０、４５によって、円筒ころはころ軸受用保持器１１の内径側への抜けを防止している。柱部２１の両側の一方のポケット孔１２の円筒ころは、柱部２０および柱片２２の計３個の爪部４０、４５、４１によって、円筒ころはころ軸受用保持器１１の内径側への抜けを防止している。この場合、爪部４６は積極的に関与していなく、あくまで補助的に関与している。柱部２１の両側の他方のポケット孔１２の円筒ころは、柱部２０および柱片２５の計３個の爪部４０、４５、４６によって、円筒ころはころ軸受用保持器１１の内径側への抜けを防止している。この場合、爪部４１は積極的に関与していなく、あくまで補助的に関与している。
【００１６】
次に図１および図２にもとづいて、ころ軸受用保持器１０の製造方法を説明する。帯状鋼板１１にプレス加工を施しころ軸受用保持器１０の展開平面を作る。帯状鋼板１１の材料としては、例えば、成形性に優れたＳＰＣＣのフープ材を用いることができる。
【００１７】
ころ軸受用保持器１０の展開平面を作るのに、プレス金型が使用され、プレス金型によって、複数のポケット２０、切断部１３、１４，１５が同時に成形される。すなわち、材料の打ち抜きと材料の切断が同時に行われる。さらに爪塑性加工用金型によって、帯状鋼板１１に爪部４０、４１、４５、４６および凹み２０ａが同時に形成される。またさらに曲げ加工金型によって、帯状鋼板１１は環状に曲げられる。
【００１８】
この後、帯状鋼板１１に熱処理、バレル加工がなされ、こうして出来たころ軸受用保持器１０に円筒ころが装填され、さらに外輪が嵌め込まれる。この形をセットにして出荷され、客先にて内輪が組みつけられる。
【００１９】
本発明はこうした実施形態に何等限定されるものではなく、本発明の要旨を逸脱しない範囲において、種々なる態様で実施し得ることは勿論である。
【００２０】
上述した実施形態は、爪部４０、４１、４５、４６を内径側に形成し、内輪を除いたときに、円筒ころがころ軸受用保持器１０の内径側へ抜けるのを防止した。他の実施形態として、爪部４０、４１、４５、４６を外径側に形成し、外輪を除いたときに、円筒ころがころ軸受用保持器１０の外径側へ抜けるのを防止しても良い。
【００２１】
上述した実施形態は、凹み２０ａを形成すると同時にポケット孔１２側へ突出した爪部４０、４１、４５、４６を形成した。他の実施形態として、内径側に向かって開口面積が徐々に小さくなるようにポケット孔１２を形成し、このように形成されたポケット孔１２のせり出している部分を爪部としても良い。
【００２２】
上述した実施形態は、切断部１３、１４、１５を一直線上に配置した。他の実施形態として、第１環状部３０および第２環状部３５に軸方向に切断部を形成し、柱部２１に円周方向に切断部を形成しても良い。
【符号の説明】
【００２３】
１０：ころ軸受用保持器、１１：帯状鋼板、１２：ポケット孔、１３：切断部、１４：切断部、１５：切断部、２０：柱部、２１：柱部、３０：第１環状部、３５：第２環状部、４０、４１、４５、４６：爪部
【図１】
2013104486.tif 000003
【図２】
2013104486.tif 000004
【図３】
2013104486.tif 000005